(57)【要約】【課題】  外部フラッシュの調光量を、外部フラッシュ単体でも、カメラでも設定可能な場合、撮影時に適用される調光量に関する情報をユーザにわかりやすく報知することが可能な撮像装置を提供する。  【解決手段】  外部フラッシュ自体に直接設定された調光量と、カメラに設定された調光量とが存在する場合、そのいずれかを有効とする。さらに、どちらを有効にしたかを、有効にした設定がなされている場所により異なる表示を行なう等により、ユーザに報知する。【選択図】  図４
2007322741.tif 000002
【特許請求の範囲】
【請求項１】
外部フラッシュの調光量補正が可能な撮像装置であって、
接続された外部フラッシュに直接設定されている調光量と、前記撮像装置に設定されている前記外部フラッシュの調光量とのいずれかを有効とする選択手段と、
前記選択手段が有効とした調光量が、前記外部フラッシュに直接設定されている調光量か、前記撮像装置に設定されている前記外部フラッシュの調光量かをユーザに報知する報知手段を有することを特徴とする撮像装置。
【請求項２】
前記報知手段が、前記選択手段が有効とした調光量の設定場所によって異なる表示を行なうことにより前記報知を行なうことを特徴とする請求項１記載の撮像装置。
【請求項３】
前記報知手段が、前記ユーザの指示に応答して、前記ユーザが前記撮像装置に前記外部フラッシュの調光量を設定するための設定画面を表示するとともに、前記設定画面の表示内容を前記選択手段が有効とした調光量の設定場所によって異らせることを特徴とする請求項２記載の撮像装置。
【請求項４】
さらに、前記選択手段により、前記外部フラッシュに直接設定されている調光量が有効とされる場合に、前記撮像装置における前記外部フラッシュの調光量の設定を禁止する禁止手段を有することを特徴とする請求項１乃至請求項３のいずれか１項に記載の撮像装置。
【発明の詳細な説明】
【技術分野】
【０００１】
本発明は撮像装置に関し、特には外部フラッシュの調光量設定が可能な撮像装置に関する。
【背景技術】
【０００２】
外部フラッシュを用いた撮影を行なう場合、例えば被写体の色や距離などに応じて、外部フラッシュの発光量をマニュアル設定したり、自動設定値を補正したい場合がある。
【０００３】
しかしながら、外部フラッシュには、補正量をフラッシュ単体で直接設定可能なものと、そうでないものが存在する。そのため、従来、撮像装置側で発光量の補正量（調光補正量という）を設定可能として、撮像装置から外部フラッシュを制御することが行なわれている（例えば、特許文献１参照）。こうすることで、ユーザは、接続されている外部フラッシュの形式を意識せず、同一の操作により調光補正量を設定することができる。
【０００４】
しかしながら、単体で調光補正量を設定可能な外部フラッシュを用いている場合、外部フラッシュ、カメラ本体の両方で調光補正が設定されている場合も想定される。従来、このような場合は、一方の設定を優先したり、補正量を足し合わせて補正したりするなどの方法が実施されている。
【０００５】
また、ユーザに調光補正が設定されていることや、補正量をマークなどを用いて表示し、ユーザに報知する撮像装置も存在する。
【０００６】
【特許文献１】特開２００３−０４３５５９号公報（段落番号０００４等）
【発明の開示】
【発明が解決しようとする課題】
【０００７】
しかしながら、どちらかの調光補正量を優先して用いるように動作する場合、撮像装置側の設定と外部フラッシュ側の設定のどちらが使用されるかがわかりにくいという問題があった。その結果、ユーザの意図した調光補正がなされずに撮影されてしまうという結果になる可能性があった。
【０００８】
本発明は、このような従来技術の問題点を解決し、撮影時に適用される調光量設定に関する情報をユーザにわかりやすく報知可能な撮像装置を提供することを目的とする。
【課題を解決するための手段】
【０００９】
この目的は、外部フラッシュの調光量補正が可能な撮像装置であって、接続された外部フラッシュに直接設定されている調光量と、撮像装置に設定されている外部フラッシュの調光量とのいずれかを有効とする選択手段と、選択手段が有効とした調光量が、外部フラッシュに直接設定されている調光量か、撮像装置に設定されている外部フラッシュの調光量かをユーザに報知する報知手段を有することを特徴とする本発明に係る撮像装置によって達成される。
【発明の効果】
【００１０】
このような構成により、本発明に係る撮像装置によれば、撮影時に適用される調光量の設定に関する情報をユーザにわかりやすく報知することが可能となる。
【発明を実施するための最良の形態】
【００１１】
以下、図面を参照して本発明の実施形態を説明する。
図１は、本発明の一実施形態に係る撮像装置としてのレンズ交換式デジタルスチルカメラの構成例を示すブロック図である。本実施形態における撮像装置は、デジタルスチルカメラに限るものではなく、デジタルスチルカメラとして動作する装置であってもよい。そのような装置には、デジタルビデオカメラ、デジタルカメラ付き携帯電話などがある。
【００１２】
１２は撮像素子１３への露光量を制御するためのシャッター、１３は光学像を電気信号に変換する撮像素子である。
レンズ３１０に入射した光線は、一眼レフ方式によって、絞り３１２、レンズマウント３０６及び１０６、ミラー１３０及びシャッター１２を介して、撮像素子１３に光学像を結像することが出来る。
【００１３】
Ａ／Ｄ変換器１６は、撮像素子１３のアナログ信号出力をデジタル信号に変換する。
タイミング発生回路１８は、メモリ制御回路２２及びシステム制御回路５０の制御に従い、撮像素子１３、Ａ／Ｄ変換器１６、Ｄ／Ａ変換器２６にクロック信号や制御信号を供給する。
画像処理回路２０は、Ａ／Ｄ変換器１６からのデータ、或いはメモリ制御回路２２からのデータに対し、所定の画素補間処理や色変換処理を行う。
【００１４】
また、画像処理回路２０においては、必要に応じて、撮像した画像データを用いて所定の演算処理を行う。そして、得られた演算結果に基づいて、システム制御回路５０が露光回路４０、測距回路４２を制御し、ＴＴＬ（スルー・ザ・レンズ）方式のＡＦ（オートフォーカス）、ＡＥ（自動露出）、ＥＦ（フラッシュ調光）処理を実現する。
【００１５】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１６】
なお、本実施形態のデジタルスチルカメラ１００（以下、単にカメラ１００という）は、測距回路４２及び測光回路４６を専用に備える構成を有している。そのため、画像処理回路２０を用いずに、測距回路４２及び測光回路４６を用いてＡＦ処理、ＡＥ処理、ＥＦ処理を行なう構成としても良い。
【００１７】
或いは、測距回路４２及び測光回路４６を用いてＡＦ処理、ＡＥ処理、ＥＦ処理を行い、さらに、画像処理回路２０を用いたＡＦ処理、ＡＥ処理、ＥＦ処理を行う構成としても良い。
【００１８】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。
【００１９】
Ａ／Ｄ変換器１６の出力データが画像処理回路２０、メモリ制御回路２２を介して、或いはＡ／Ｄ変換器１６の出力データが直接メモリ制御回路２２を介して、画像表示メモリ２４或いはメモリ３０に書き込まれる。
【００２０】
画像表示メモリ２４に書き込まれた表示用の画像データは、Ｄ／Ａ変換器２６を介してＬＣＤや有機ＥＬディスプレイ等の画像表示部２８により表示される。
また、画像表示部２８は、システム制御回路５０の指示により任意に表示をＯＮ／ＯＦＦすることが可能であり、表示をＯＦＦにした場合にはデジタルスチルカメラの電力消費を低減することができる。
【００２１】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連続撮影やパノラマ撮影の場合にも、高速かつ大量の画像書き込みをメモリ３０に対して行うことが可能となる。
また、メモリ３０はシステム制御回路５０の作業領域としても使用することが可能である。
【００２２】
圧縮伸長回路３２は、メモリ３０に格納された画像データを読み込み、所定の画像圧縮方法に従って圧縮し、圧縮された画像データをメモリ３０に書き込む。また、圧縮伸長回路３２は、メモリ３０から圧縮された画像データを読み込み、その画像データを伸長し、伸長された画像データをメモリ３０に書き込むこともできる。なお、所定の画像圧縮方法には、JPEG、JPEG 2000等で規定された画像圧縮方法を使用することも、適応離散コサイン変換（ＡＤＣＴ）、ウェーブレット変換等を用いた画像圧縮方法を使用することもできる。
【００２３】
シャッター制御回路４０は、測光回路４６からの測光情報に基づいてシャッター１２を制御する。シャッター制御回路４０は、この制御を、絞り３１２を制御する絞り制御回路３４０と連携しながら行なう。
【００２４】
測距回路４２はＡＦ処理に用いられる。レンズ３１０に入射した光線を、一眼レフ方式によって、絞り３１２、レンズマウント３０６及び１０６、ミラー１３０そして不図示の測距用サブミラーを介して測距回路４２に入射させる。そして、測距回路４２は、光学像として結像された画像の合焦状態を測定する。
【００２５】
測光回路４６はＡＥ処理に用いられる。レンズ３１０に入射した光線を、一眼レフ方式によって、絞り３１２、レンズマウント３０６及び１０６、ミラー１３０及び１３２そして不図示の測光用レンズを介して、測光回路４６に入射させる。そして、測光回路４６は、光学像として結像された画像の露出状態を測定する。
また、測光回路４６は、撮像装置の内蔵フラッシュ４８と連携することによりＥＦ処理も行なう。
【００２６】
内蔵フラッシュ４８は、ＡＦ補助光の投光機能、フラッシュ調光機能も有する。
なお、本実施形態において、測距回路４２による測定結果と、撮像素子１３によって撮像した画像データを画像処理回路２０によって演算した演算結果とを用いてＡＦ制御を行っても構わない。
また、同様に、測光回路４６による測定結果と、撮像素子１３によって撮像した画像データを画像処理回路２０によって演算した演算結果とを用いてＡＥ制御を行っても構わない。
【００２７】
システム制御回路５０は、カメラ１００全体を制御する。システム制御回路５０は例えばＣＰＵであり、メモリ５２に記憶されたプログラムを実行することによりカメラ１００全体を制御する。メモリ５２はシステム制御回路５０の動作用の定数、変数、プログラム等を記憶する。
【００２８】
表示部５４は例えばＬＣＤやＬＥＤ、スピーカ等の出力装置の組み合わせにより構成され、システム制御回路５０でのプログラムの実行に応じて、文字、画像、音声等を用いて動作状態やメッセージ等を出力する。表示部５４はカメラ１００の操作部７０近辺の視認し易い位置に、単数或いは複数設置される。また、表示部５４の一部は光学ファインダ１０４内に設置されている。
【００２９】
表示部５４の表示内容のうち、ＬＣＤ等に表示するものとしては、以下のものが例示される。単写／連写撮影表示、セルフタイマー表示、圧縮率表示、記録画素数表示、記録枚数表示、残撮影可能枚数表示、シャッタースピード表示、絞り値表示、露出補正表示、調光補正表示。外部フラッシュ発光量表示、赤目緩和表示、ブザー設定表示、電池残量表示、エラー表示、複数桁の数字による情報表示、記録媒体２００及び２１０の着脱状態表示、レンズユニット３００の着脱状態表示。通信Ｉ／Ｆ動作表示、日付・時刻表示、外部コンピュータとの接続状態を示す表示。
【００３０】
また、表示部５４の表示内容のうち、光学ファインダ１０４内に表示するものとしては、以下のものが例示される。合焦表示、撮影準備完了表示、手振れ警告表示、フラッシュ充電表示、シャッタースピード表示、絞り値表示、露出補正表示、記録媒体書き込み動作表示。
さらに、表示部５４の表示内容のうち、ＬＥＤ等で表示するものとしては、例えば、記録媒体書き込み動作表示、等がある。
【００３１】
そして、表示部５４の表示内容のうち、ランプ等で表示するものとしては、例えば、セルフタイマー通知ランプ、等がある。このセルフタイマー通知ランプは、ＡＦ補助光と共用しても良い。
不揮発性メモリ５６は電気的に消去・記録可能なメモリであり、例えばＥＥＰＲＯＭ等が用いられる。
【００３２】
モードダイヤル６０、第１シャッタースイッチ（ＳＷ１）６２、第２シャッタースイッチ（ＳＷ２）６４、再生スイッチ６６、異物除去スイッチ６８及び操作部７０は、システム制御回路５０に各種の動作指示を入力するための操作部材である。これらの操作部材は、ボタン、スイッチ、ダイアル、タッチパネル、視線検知装置、音声認識装置或いはこれらの組み合わせで構成される。
【００３３】
ここで、これらの操作部材の具体的な説明を行う。
モードダイアル６０は、カメラ１００が備える複数の機能撮影モードの１つを設定するためのスイッチである。機能撮影モードは、例えば以下のようなものが例示される。自動撮影モード、プログラム撮影モード、シャッター速度優先撮影モード、絞り優先撮影モード、マニュアル撮影モード。焦点深度優先（デプス）撮影モード、ポートレート撮影モード、風景撮影モード、接写撮影モード、スポーツ撮影モード、夜景撮影モード、パノラマ撮影モード。
【００３４】
第１シャッタースイッチ（ＳＷ１）６２は、カメラ１００に設けられたシャッターボタン（図示せず）の第１ストローク（例えば半押し）でＯＮとなる。第１シャッタースイッチ（ＳＷ１）６２がＯＮになると、システム制御回路５０は、ＡＦ（オートフォーカス）処理、ＡＥ（自動露出）処理、ＡＷＢ（オートホワイトバランス）処理、ＥＦ処理等を開始させる。
【００３５】
第２シャッタースイッチ（ＳＷ２）６４は、カメラ１００に設けられたシャッターボタンの第２ストローク（例えば全押し）でＯＮとなる。第１シャッタースイッチ（ＳＷ２）６４がＯＮになると、システム制御回路５０は、露光処理、現像処理及び記録処理からなる一連の処理の開始を指示する。まず、露光処理では、撮像素子１３から読み出した信号をＡ／Ｄ変換器１６、メモリ制御回路２２を介して画像データとしてメモリ３０に書き込む。そして、この画像データに対し、画像処理回路２０やメモリ制御回路２２での演算を用いた現像処理を行ない、結果をメモリ３０に書き込む。更に、メモリ３０から現像後の画像データを読み出し、圧縮伸長部３２で圧縮を行い、記録媒体２００や２１０に画像データを書き込む記録処理が行われる。なお、ＣＣＤ−ＲＡＷモードの場合には、現像処理や圧縮処理などの一部が省略される。
【００３６】
再生スイッチ６６は、撮影モードにおいて、撮影した画像をメモリ３０或いは記録媒体２００或いは２１０から読み出して画像表示部２８によって表示する再生動作の開始を指示するためのスイッチである。
異物除去スイッチ６８は、撮像素子１３上のローパスフィルタなどに付着した異物を検出する異物検出動作の開始を指示するためのスイッチである。
【００３７】
操作部７０は、スイッチ、ボタン、回転ダイアルスイッチ、タッチパネル等を有するマンマシンインタフェースである。
撮影画像の画像記録モード、圧縮率、画質等は、操作部７０で選択できる。画像記録モードには、ＪＰＥＧモードとＣＣＤＲＡＷモードがある。ＪＰＥＧモードは、撮影画像をＪＰＥＧ圧縮方式で圧縮して記録媒体２００等に記録する画像記録モードである。ＣＣＤＲＡＷモードは、撮像素子１３からの信号をデジタル化して得たデジタルデータを圧縮せずに又はロスレス圧縮方式で圧縮してメモリカード２００等に記録する画像記録モードである。なお、ＪＰＥＧモードにおける圧縮率及び画質についても、操作部７０で選択可能である。
【００３８】
操作部７０に含まれるものとしては、以下のようなものが例示される。メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタン。再生画像移動＋（プラス）ボタン、再生画像移動−（マイナス）ボタン、撮影画質選択ボタン、露出補正ボタン、調光補正ボタン、外部フラッシュ発光量設定ボタン、日付/時間設定ボタン。画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ。ＪＰＥＧ圧縮の圧縮率を選択したり、ＣＣＤＲＡＷモードを選択する圧縮モードスイッチ、再生モード、マルチ画面再生・消去モード、ＰＣ接続モード等の各機能モードを設定する再生スイッチ。ワンショットＡＦモードとサーボＡＦモードとを選択するＡＦモード設定スイッチ。なお、ワンショットＡＦモードは、第１シャッタースイッチＳＷ１（６２）がＯＮになるとオートフォーカス動作を開始し、一旦合焦したならばその合焦状態を保ち続けるモードである。また、サーボＡＦモードは、第１シャッタースイッチＳＷ１（６２）がＯＮの間は連続してオートフォーカス動作を続けるモードである。
また、プラスボタン及びマイナスボタンの各機能は、回転ダイアルスイッチを備え、回転方向とプラスマイナスとを対応付けることによっても実現可能である。
【００３９】
電源スイッチ７２は、カメラ１００の電源オン、電源オフの各モードを切り替え設定する。また、電源スイッチ７２により、カメラ１００に接続されたレンズユニット３００、外部フラッシュ１１２、記録媒体２００、２１０等の各種付属装置の電源オン、電源オフの設定も合わせて切り替え設定することが出来る。
【００４０】
電源制御回路８０は、電池検出回路、ＤＣ−ＤＣコンバータ、通電するブロックを切り替えるスイッチ回路等により構成される。電源制御回路８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体２００、２１０を含む各部へ供給する。
【００４１】
８２はコネクタ、電源回路８６はアルカリ電池やリチウム電池等の一次電池やＮｉＣｄ電池、Ｌｉ電池等の二次電池、ＡＣアダプター等からなる。
９０及び９４はメモリカードやハードディスク等の記録媒体２００、２１０とのインタフェースである。９２及び９６は、記録媒体２００、２１０と接続を行うコネクタである。コネクタ９２及び或いは９６に記録媒体２００或いは２１０が装着されているか否かは、記録媒体着脱検知回路９８によって検知される。
【００４２】
なお、本実施形態では記録媒体を取り付けるインタフェース及びコネクタを２系統持つものとして説明している。しかし、もちろん、記録媒体を取り付けるインタフェース及びコネクタの数は、単数を含め任意の数であってよい、また、異なる規格のインタフェース及びコネクタを組み合わせて備える構成としても構わない。インタフェース及びコネクタとしては、ＰＣカードやＣＦ（コンパクトフラッシュ（登録商標））カード等の規格に準拠したものを用いて構成して構わない。
【００４３】
さらに、規格化されたインタフェース９０、９４、及びコネクタ９２、９６を用いた場合、各種通信カードを接続することで、他のコンピュータやプリンタ等の周辺機器との間で画像データやそれに付属した管理情報の相互転送が可能である。ここで、各種通信カードには、ＬＡＮカードやモデムカード、ＵＳＢカード、ＩＥＥＥ１３９４カード、ＳＣＳＩカード、ＰＨＳ等の通信カード等が含まれる。
【００４４】
光学ファインダ１０４は、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ビューファインダ機能を使用すること無しに、光学ファインダ１０４のみを用いて撮影を行うことが可能である。
アクセサリシュー１１０は外部フラッシュ１１２を装着するインタフェースである。
【００４５】
１２０は、レンズマウント１０６内に設けられ、カメラ１００をレンズユニット３００と接続するためのインタフェースである。１２２はカメラ１００をレンズユニット３００と電気的に接続するコネクタである。１２４はレンズマウント１０６及び或いはコネクタ１２２にレンズユニット３００が装着されているか否かを検知するレンズ着脱検知回路である。
【００４６】
コネクタ１２２は、カメラ１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４７】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００４８】
２００及び２１０はメモリカードやハードディスク等の記録媒体である。記録媒体２００は、半導体メモリや磁気ディスク等から構成される記録部２０２及び２１２、カメラ１００とのインタフェース２０４及び２１４、カメラ１００と接続を行うコネクタ２０６及び２１６を備えている。
【００４９】
３００は交換レンズタイプのレンズユニットである。
３０６は、レンズユニット３００をカメラ１００と機械的に結合するレンズマウントである。レンズマウント３０６内には、レンズユニット３００をカメラ１００と電気的に接続する各種機能が含まれている。
【００５０】
３１０は撮影レンズ、３１２は絞りである。
３２０は、レンズマウント３０６内において、レンズユニット３００をカメラ１００と接続するためのインタフェース、３２２はレンズユニット３００をカメラ１００と電気的に接続するコネクタである。
【００５１】
コネクタ３２２は、カメラ１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００５２】
絞り制御回路３４０は測光回路４６からの測光情報に基づいて、絞り３１２を制御する。この制御はシャッター１２を制御するシャッター制御回路４０と連携しながら行なう。
測距制御回路３４２は撮影レンズ３１０のフォーカシングを制御する。ズーム制御回路３４４は、撮影レンズ３１０がズームレンズの場合に設けられ、ズーミングを制御する。
【００５３】
レンズシステム制御回路３５０はレンズユニット３００全体を制御する。レンズシステム制御回路３５０は、例えばＣＰＵ、揮発性メモリ及び不揮発性メモリを内蔵する。そして、揮発性メモリには動作用の定数、変数、プログラム等を記憶する。また、不揮発性メモリには、レンズユニット３００固有の番号等の識別情報、管理情報、開放絞り値や最小絞り値、焦点距離等の機能情報、現在や過去の各設定値などを保持する。
ここで、外部フラッシュ１１２と本実施形態のカメラ１００との関係について詳述する。
【００５４】
システム制御回路５０は、測光回路４６を用い、定常光の状態と、外部フラッシュ１１２をプリ発光させた状態の測定を行なう。そして、測定結果から撮影時（本発光時）に必要な発光量を演算する。得られた発光量は、システム制御回路５０及びアクセサリシュー１１０を介し、シリアル通信によって外部フラッシュ１１２へ与えられる。これにより、撮影時には演算された発光量で外部フラッシュ１１２を発光させる。これが自動調光である。
【００５５】
また、自動調光による発光量を補正する場合、あるいは自動調光を用いずに固定の発光量を使用する場合、外部フラッシュ１１２自体に調光補正設定あるいは固定量発光設定を行なう機能が備わっていればその機能を用いれば良い。一方、これらの機能を持たない外部フラッシュ１１２の場合には、操作部７０を操作してカメラ１００に調光補正量あるいは固定発光量の設定を行う。そして、システム制御回路５０が、外部フラッシュ１１２に対して調光補正量あるいは固定量発光を指示する事により、自動調光量の補正や固定量の発光を可能にしている。
【００５６】
以下、本実施形態のカメラ１００における調光補正量の選択動作について、図２に示すフローチャートを用いて説明する。
なお、ここでは外部フラッシュの自動調光量に対する補正設定に関する動作について説明するが、固定発光量（マニュアル発光）の設定に関しても同様の動作でよいため、説明を省略する。すなわち、補正量を設定するのと同様に、発光量（調光量）を設定する場合であっても本発明は同様に適用可能である。
【００５７】
外部フラッシュ１１２が単体で調光補正量を設定可能な機能（例えば、調光補正量ボタンなど）を備える場合、外部フラッシュ１１２に直接設定された調光補正量と、カメラ１００に設定された調光補正量とが重複する場合がある。本実施形態のカメラ１００は、このような場合、以下のようにして最終的な調光補正量を決定する。
・外部フラッシュ１１２に調光補正量ボタンなどから直接設定された調光補正量（以下、直接設定された調光補正量という）が０の場合は、カメラ１００から指示される調光補正量を有効にする。
・外部フラッシュ１１２に直接設定されたの調光補正量が０以外の場合は、カメラ１００からの調光補正量指示は無視し、直接設定された調光補正量のみを有効とする。
【００５８】
この動作を、図２に示すフローチャートを用いて説明する。
システム制御回路５０は、Ｓ４００で、外部フラッシュ１１２が調光補正量を直接設定可能な機種であるかどうかを、例えばアクセサリシュー１１０を介したシリアル通信により、外部フラッシュ１１２に問い合わせる。
【００５９】
問い合わせの結果、調光補正量を直接設定可能な機種であれば、直接設定された調光補正量があるかどうかを、例えばアクセサリシュー１１０を介したシリアル通信により、外部フラッシュ１１２に問い合わせる。
【００６０】
問い合わせの結果、外部フラッシュ１１２に直接設定された調光補正量があると判断される場合（Ｓ４０１，Ｙ）、Ｓ４０２へ進む。Ｓ４０２でシステム制御回路５０は、操作部７０を介して設定されている調光補正量があっても、それを外部フラッシュ１１２に指示せずに自動調光を行なう。
これにより、外部フラッシュ１１２に直接設定された補正量のみが有効なフラッシュ撮影が行なわれる。
【００６１】
一方、
Ｓ４００で、外部フラッシュ１１２が調光補正量を直接設定可能な機種でないと判断された場合と、
Ｓ４０１で、外部フラッシュ１１２が調光補正量を直接設定可能な機種であるが、直接設定された補正量がないと判断された場合は、
それぞれＳ４０３へ進む。
【００６２】
Ｓ４０３で、システム制御回路５０は、操作部７０を介して設定されている調光補正量の有無を調べる。カメラ１００に設定された調光補正量があると判断された場合は、Ｓ４０４へ進む。Ｓ４０４で、システム制御回路５０は、カメラ１００に設定された調光補正量を有効とする。
従って、フラッシュ撮影時、外部フラッシュ１１２には、システム制御回路５０が補正した自動調光量が指示される。
【００６３】
Ｓ４０３で、操作部７０を介して設定されている調光補正量がないと判断された場合は、Ｓ４０５へ進む。
この場合、外部フラッシュ１１２にもカメラ１００にも調光補正量の設定がないため、システム制御回路５０は、フラッシュ撮影時の調光量補正を行なわず、通常の自動調光を実行する。
【００６４】
図３は本実施形態のカメラ１００の表示部５４における、調光補正に関する情報の表示例を示す図である。この表示は、システム制御回路５０が、図２のフローチャートを用いて説明した調光補正量の決定結果に基づいて表示部５４の表示内容を制御することによって実現される。
【００６５】
図３（ａ）は外部フラッシュ１１２、カメラ１００ともに調光補正量の設定が無い場合（図２のＳ４０５の場合）の表示例を示す。
図３（ｂ）は、カメラ１００の調光補正量が有効となる場合（図２のＳ４０４の場合）の表示例を示す。
図３（ｃ）は、外部フラッシュ１１２に直接設定された調光補正量が有効となる場合（図２のＳ４０２の場合）の表示例を示す。
【００６６】
図３（ｂ）に示すように、カメラ１００に設定されている調光補正量が有効になる場合には、補正ありを示すマーク３１と、カメラ１００に設定されている補正量（＋１．５ステップ）３２が表示される。
【００６７】
一方、図３（ｃ）に示すように、外部フラッシュ１１２に直接設定された調光補正量が有効となる場合は、補正ありを示すマーク３１と、外部フラッシュ１１２に調光補正量が設定されていることを示すマーク３３とを表示する。
また、調光補正が行なわれない場合には、図３（ａ）のように、調光補正量の補正が有る場合に表示するマーク３１〜３３を表示しない。
【００６８】
このように、本実施形態のデジタルスチルカメラ１００は、調光補正の設定有無を表す情報（マーク３１）とともに、有効となる補正量の設定場所によって異なる表示（補正量表示３２及びマーク３３）を行なう。
【００６９】
そのため、ユーザが外部フラッシュ１１２に対して調光補正量を設定していることを忘れて、カメラ１００に対して調光補正量を設定した場合、表示部５４の表示内容から、外部フラッシュ１１２の調光補正量が有効となることが把握できる。
【００７０】
このように、本実施形態においては、調光補正量を直接設定可能な外部フラッシュが用いられ、かつ外部フラッシュに直接設定された調光補正量がある場合には、外部フラッシュに設定されている調光補正量のみを有効とする。そして、表示部５４に、外部フラッシュに設定されている調光補正量が有効であることを示す表示を行なうので、ユーザは自分が意図した調光補正量が適用されるのかどうかを、本撮影前に明確且つ容易に把握することが可能である。
【００７１】
なお、本実施形態では、有効となる調光補正量が設定されている場所に応じて表示部５４の表示内容（マーク）を変化させる例を示した。しかし、例えば文字列の表示や、音声出力など、他の方法により報知することも可能である。また、外部フラッシュ１１２に表示装置がある場合には、外部フラッシュ１１２の表示装置を用い、次の撮影で有効となる調光補正量の設定場所に関する報知を行なうことも可能である。この場合、システム制御回路５０が、表示部５４に対する表示制御に加え（或いは代えて）、外部フラッシュ１１２に所定の表示コマンド等をＩ／Ｆ１１０を通じて送信する。外部フラッシュ１１２の図示しない制御回路は、このコマンドを解釈して、表示装置の表示内容を変化させる。
【００７２】
（第２の実施形態）
第１の実施形態では、カメラ１００が備える表示部５４の表示を制御することで、有効となる調光補正量に関する情報を報知した。
しかし、ユーザが表示部５４を見ずに本撮影をしてしまう場合も考えられる。
【００７３】
そのため、本実施形態では、ユーザが操作部７０を用いてカメラ１００に調光補正量を設定する際に、外部フラッシュ１１２に調光補正量が直接設定されていれば、その旨を報知する。これにより、ユーザはカメラ１００に調光補正量を設定しようとした時点で、外部フラッシュ１１２に既に調光補正量が設定されていることを知ることができる。しかも、外部フラッシュ１１２に既に調光補正量が設定されていることを、カメラ１００における調光補正量設定画面中に示すことで、一層確実な報知が可能となる。
【００７４】
図５は、本実施形態におけるデジタルスチルカメラにおける調光補正量設定画面表示処理を説明するフローチャートである。
なお、本実施形態におけるデジタルスチルカメラの構成は第１の実施形態のデジタルスチルカメラと共通でよいため、説明を省略する。
【００７５】
まず、Ｓ５０１で、システム制御回路５０は、操作部７０を介してユーザから調光補正量の設定画面が呼び出されたかどうかを調べる。ユーザは、例えば、操作部７０に含まれるメニューボタンや、方向キー、実行（決定）キー等を用い、一般にこの種の装置で用いられているような階層メニューを辿ることで、調光補正量の設定画面を呼び出すことができる。もちろん、調光補正量の設定画面を呼び出す機能が割り当てられたボタンなどが設けられていても良い。
【００７６】
Ｓ５０１で、調光補正量の設定画面が呼び出されたことが検出された場合、Ｓ５０３で、システム制御回路５０は、設定画面を例えば画像表示部２８に表示させる。設定画面の表示用データは、例えば不揮発性メモリ５６に予め登録されているものとする。次いでシステム制御回路５０は、外部フラッシュ１１２が接続されている場合、外部フラッシュ１１２に対し、調光補正量が直接設定されているかどうかを問い合わせる（Ｓ５０５）。
【００７７】
そして、外部フラッシュ１１２に調光補正量が直接設定されていると判定された場合、システム制御回路５０は、調光補正量の設定画面に、警告メッセージを表示する（Ｓ５０７）。
図４は、調光補正量の設定画面例を示す図である。図４に示す設定画面４１０は、警告メッセージ４１５を含んでいる。
【００７８】
このように、本実施形態では、カメラ１００に対して調光補正量を設定するための画面４１０において、外部フラッシュ１１２に直接設定されている調光補正量が有効であることを示す情報を報知する。そのため、ユーザが外部フラッシュ１１２に対して調光補正量を直接設定したことを忘れてしまっている場合でも、それを気付かせることが可能となる。従って、ユーザが外部フラッシュ１１２とカメラ１００の両方に誤って調光補正量を設定し、意図しない調光補正量で撮影が行なわれてしまうという事態を現象を防止することが出来る。
【００７９】
なお、図５のＳ５０５において、外部フラッシュ１１２に調光補正量が設定されていない場合、或いは設定されていても、その補正量が０である場合には、警告メッセージの表示は行なわない。
【００８０】
また、調光補正量の設定画面が他の画面に切り替わる（例えば、設定を行なわない場合や設定の実行が指示された場合）まで、Ｓ５０５及びＳ５０７の処理を繰り返し行なっても良い。そして、図４の表示を受けて、ユーザが外部フラッシュ１１２側の設定を解除した場合には、それを反映して、表示中の警告メッセージを消去するように構成しても良い。この場合、Ｓ５０５，Ｎの分岐後に、表示中の警告メッセージを消去するステップを挿入する。
【００８１】
なお、本実施形態において、警告メッセージは外部フラッシュ１１２に対して実体的な補正量が設定されている場合のみ表示しても良いし、補正量０が設定されていても表示するようにしても良い。また、メッセージ表示以外の任意の方法、例えば音声出力などを用いて報知しても良い。
【００８２】
（第３の実施形態）
第２の実施形態においては、外部フラッシュ１１２に調光補正量が直接設定されている場合、その旨をデジタルスチルカメラの調光補正量設定画面において報知するものであった。
本実施形態では、外部フラッシュ１１２に調光補正量が直接設定されている場合には、デジタルスチルカメラに対する調光補正量の設定を禁止することを特徴とする。
【００８３】
図６は、本実施形態におけるデジタルスチルカメラにおける調光補正量設定画面表示処理を説明するフローチャートである。図６において、図２と同様の処理には共通する参照数字を付した。
なお、本実施形態におけるデジタルスチルカメラの構成は第１の実施形態のデジタルスチルカメラと共通でよいため、説明を省略する。
【００８４】
Ｓ４００及びＳ４０１において、システム制御回路５０は、外部フラッシュ１１２が調光補正量を直接設定する機能を有する機種であるか、また、そうであれば調光補正量が設定されているかどうかを調べる。
そして、外部フラッシュ１１２に調光補正量が直接設定されていると判断される場合、システム制御回路５０はカメラ１００における調光補正量の設定を禁止する（Ｓ６０１）。
【００８５】
また、外部フラッシュ１１２が調光補正量を直接設定できない機種であるか、調光補正量が設定されていない場合には、カメラ１００における調光補正量の設定を許可する（Ｓ６０２）。
【００８６】
この、カメラ１００における調光補正量の設定可否を表す情報（設定可否情報）は、システム制御回路５０が、例えば不揮発性メモリ５６に記憶しておく（Ｓ６０３）。そして、調光補正量の設定画面が呼び出された場合（Ｓ６０４，Ｙ）には、設定可否情報を参照し（Ｓ６０５）、設定が許可されているかどうかを判定する（Ｓ６０６）。
【００８７】
許可されていると判定された場合、システム制御回路５０は、画像表示部２８に、調光補正量の設定画面を表示する（Ｓ６０７）。一方、禁止されていると判定された場合、システム制御回路５０は、画像表示部２８に、警告メッセージを表示する。図７は、警告メッセージの表示例を示す図である。このように、既に外部フラッシュ１１２に調光補正量が設定されているため、カメラ１００への設定はできないこと、カメラ１００への設定を行なうには、外部フラッシュ１１２での設定を解除する必要があることをユーザに報知する。
【００８８】
以上説明したように、本実施形態では、外部フラッシュ１１２に調光補正量が直接設定されている場合には、カメラ側での調光補正量の設定を禁止する。そのため、ユーザが外部フラッシュ１１２に対して調光補正量を直接設定したことを忘れてしまっている場合にユーザが外部フラッシュ１１２とカメラ１００の両方に誤って調光補正量を設定することを確実に防止できる。
【００８９】
（他の実施形態）
なお、上述の実施形態においては、外部フラッシュに調光補正量が設定されている場合には、それを有効とし、カメラに設定された調光補正量を無効とする構成についてのみ説明した。しかし、本発明の本質は、外部フラッシュとカメラの両方に調光補正量が設定された場合に、いずれかを有効とし、どちらが有効であるのかを報知することにある。従って、外部フラッシュに直接設定された調光補正量を無効とすることが可能であれば、カメラ側の設定を有効とし、外部フラッシュ側の設定を無効とするようにしても構わないことは言うまでもない。
【００９０】
そして、カメラ側の設定を有効にする場合、図４において示される警告メッセージの内容を、「外部フラッシュに設定されている調光補正量は無視されます」等に変更することももちろん可能である。このように、設定画面中に表示される警告メッセージは、有効な調光補正量の設定場所によって異なる表示に含まれる。
【図面の簡単な説明】
【００９１】
【図１】本発明の実施形態に係る撮像装置としてのレンズ交換式デジタルスチルカメラの構成例を示すブロック図である。
【図２】本発明の実施形態に係るカメラ１００における調光補正量の選択動作について説明するフローチャートである。
【図３】本発明の実施形態に係るカメラ１００の表示部５４における、調光補正に関する情報の表示例を示す図である。
【図４】本発明の第１の実施形態に係るカメラ１００における調光補正量の設定画面例を示す図である。
【図５】本発明の第２の実施形態に係るカメラ１００における調光補正量設定画面表示処理を説明するフローチャートである。
【図６】本発明の第３の実施形態に係るカメラ１００における調光補正量設定画面表示処理を説明するフローチャートである。
【図７】本発明の第３の実施形態に係るカメラ１００における警告メッセージの表示例を示す図である。
【図１】
2007322741.tif 000003
【図２】
2007322741.tif 000004
【図３】
2007322741.tif 000005
【図４】
2007322741.tif 000006
【図５】
2007322741.tif 000007
【図６】
2007322741.tif 000008
【図７】
2007322741.tif 000009